(57)【要約】【課題】本発明は、ルーフドレンに関し、塵埃等による目詰まりを防止することで、メンテナンス性を改善することが課題である。        【解決手段】ドレン本体２とストレーナ３とからなるルーフドレン１の軸芯に沿って設けられ前記ドレン本体２に回転自在に支持される回転軸４と、該回転軸に支持されて前記ストレーナの外面及びドレン本体近傍の表面５を清掃する回転自在な掃除用ブラシ６と、前記回転軸の下部に固設され排水口に流れ込む水７が翼に落下・衝突することで当該回転軸４とともに回転される回転翼８とからなるルーフドレン１とする。【選択図】図１
2006225911.tif 000002
【特許請求の範囲】
【請求項１】
ドレン本体とストレーナとからなるルーフドレンの軸芯に沿って設けられ前記ドレン本体に回転自在に支持される回転軸と、該回転軸に支持されて前記ストレーナの外面及びドレン本体近傍の表面を清掃する回転自在な掃除用ブラシと、前記回転軸の下部に固設され排水口に流れ込む水が翼に落下・衝突することで当該回転軸とともに回転される回転翼とからなること、
を特徴とするルーフドレン。
【請求項２】
ドレン本体の下部には、排水口に流れ込む雨水を、回転翼の翼に落下するように整流する雨水誘導板が設けられていること、
を特徴とする請求項１に記載のルーフドレン。
【請求項３】
掃除用ブラシは、上下方向に伸縮する弾性体によって、ブラシの先端部がドレン本体の近傍の表面から浮き上がって擦れないように支持されていて、前記弾性体は、雨水が回転翼に落下・衝突することで当該弾性体の付勢力に抗して前記ブラシの先端部が前記ドレン本体近傍の表面に当接する付勢力に設定された弾性体であること、
を特徴とする請求項１または２に記載のルーフドレン。
【発明の詳細な説明】
【技術分野】
【０００１】
本発明は、例えば、マンション等の集合住宅や事務所用ビル等に設置されるルーフドレンに関するものである。
【背景技術】
【０００２】
従来、例えば、ビルの屋上に排水用として設けられるルーフドレンは、平らな陸屋根に雨水が溜まって、居住空間への雨漏りの原因となるのを防止すべく、縦管を介して屋外へ排水するようにしている。排水縦管と横管及び縦管からなり、雨水による管閉塞を防止するようにしたルーフドレン構造が知られている（特許文献１参照）。
【特許文献１】特開平８−２６０６３４号公報
【発明の開示】
【発明が解決しようとする課題】
【０００３】
しかし、従来のルーフドレンでは、屋上の排水口において、ルーフドレン本体の上に蓋される縦スリットを有するストレーナがあり、落ち葉等の異物が排水口に詰まらないようにされている。しかし、比較的、小さな塵埃や土埃・砂塵などが舞い上がり、ビルの屋上に溜まり、それが雨によりルーフドレン本体に付着し、次第に堆積してついには排水口を詰まらせてしまうことがある。これを放置すると、屋上に雨水が溜まり、コンクリートのひび割れの原因となり、雨漏りを生じるようになる。これを防止するため、屋上のルーフドレンの清掃は、例えば、３ヶ月に一度くらいの頻度であり、メンテナンスが負担となっている。本発明に係るルーフドレンは、このような課題を解決するために提案されたものである。
【課題を解決するための手段】
【０００４】
本発明に係るルーフドレンの上記課題を解決して目的を達成するための要旨は、ドレン本体とストレーナとからなるルーフドレンの軸芯に沿って設けられ前記ドレン本体に回転自在に支持される回転軸と、該回転軸に支持されて前記ストレーナの外面及びドレン本体近傍の表面を清掃する回転自在な掃除用ブラシと、前記回転軸の下部に固設され排水口に流れ込む水が翼に落下・衝突することで当該回転軸とともに回転される回転翼とからなることである。
【０００５】
前記ドレン本体の下部には、排水口に流れ込む雨水を、回転翼の翼に落下するように整流する雨水誘導板が設けられていること、；
前記掃除用ブラシは、上下方向に伸縮する弾性体によって、ブラシの先端部がドレン本体の近傍の表面から浮き上がって擦れないように支持されていて、前記弾性体は、雨水が回転翼に落下・衝突することで当該弾性体の付勢力に抗して前記ブラシの先端部が前記ドレン本体近傍の表面に当接する付勢力に設定された弾性体であること、；
を含むものである。
【発明の効果】
【０００６】
本発明のルーフドレンによれば、排水口に雨水が流れ込んで落下すると、回転翼に勢いよく当たる。それによって、回転翼が所定方向に回転され、回転軸と共に回転する。すると、前記回転軸に支持されている掃除用ブラシが、回転軸とともに回転する。掃除用ブラシがストレーナの外面およびドレン本体近傍の表面を擦り、掃除がなされる。
また、排水口に流れ込む雨水が効率よく回転翼の翼に衝突するように、雨水誘導板があるので、無駄なく回転翼が回転されることになる。
【０００７】
更に、回転軸に支持された掃除用ブラシは、弾性体によって上に持ち上げられて浮き上がっており、ブラシが始めから掃除面に擦れていない。これにより、回転翼が回転するときの必要なトルクが低減されて、回転翼によって回転されやすくなる。これにより、ルーフドレンの製品性能及び信頼性が向上する。
【０００８】
そして、雨水が回転翼の翼に衝突することで、ブラシが弾性体の付勢力に抗して下がり、ドレン本体近傍の表面に擦るようになるので、前記ブラシが塵埃等を介してコンクリート面に固く付着して回転の障害となることが無く、この弾性体によって能率的で確実に掃除が行われるものである。こうして、ルーフドレンのメンテナンスが容易となり手間が掛からなくなるものである。
【発明を実施するための最良の形態】
【０００９】
本発明に係るルーフドレン１は、図１に示すように、ドレン本体２と鋳物製のストレーナ３とからなるルーフドレン１の軸芯に沿って設けられ前記ドレン本体２に回転自在に支持される回転軸４と、該回転軸４に支持されて前記ストレーナ３の外面及びドレン本体２近傍における屋上の表面５を清掃する回転自在な掃除用ブラシ６と、前記回転軸４の下部に固設され排水口に流れ込む雨水７が翼に落下・衝突することで当該回転軸４とともに回転される回転翼８とからなる。符号９は、コンクリート製の屋上躯体を示す。
【００１０】
また、前記ドレン本体２の下部には、排水口１０に流れ込む雨水７を、回転翼８の翼に落下するように整流する雨水誘導板１１が設けられている。該雨水誘導板１１には、図２に示すように、雨水７を落下させる貫通孔１１ａと、回転軸４を挿通させる挿通孔１１ｂとが設けられている。
【００１１】
前記掃除用ブラシ６は、図１及び図３に示すように、上下方向に伸縮する弾性体であるコイルバネ１２によって、ブラシ６ａの先端部がドレン本体２の近傍における屋上の表面５から浮き上がって擦れないように支持されている。これによって、ブラシ６ａの先端部が、屋上の表面５に塵埃などを介して付着することがなく、常に掃除用ブラシ６のスムーズな回転が確保されるものである。
【００１２】
前記弾性体のコイルバネ１２は、雨水７が回転翼８に落下・衝突することで、当該コイルバネ１２の付勢力に抗して前記ブラシ６ａの先端部が前記ドレン本体近傍の表面５に当接する付勢力に設定された弾性体である。
【００１３】
また、ブラシ６ｂは、ストレーナ掃除用のものであって、この掃除用ブラシ６が下がったときに、ストレーナ３の外面に擦れて、回転することで掃除するようになっている。
【００１４】
また、前記掃除用ブラシ６は、図３に示すように、例えば、中央部から側方に延びる３本の金属製若しくは合成樹脂製の骨格部６ｃが設けられ、その斜面部と下部水平部に、前記ブラシ６ｂ、ブラシ６ａが植毛されている。この骨格部６ｃの本数若しくは幅等については、適宜に設計されるものである。
【００１５】
本発明のフールドレン１は、上記のように構成されているので、雨が降ると、屋上の雨水がフールドレン１に集水され、排水口１０から流れ込む。当該雨水７は、雨水誘導板１１の貫通孔１１ａから落下して回転翼８の翼に衝突し、その勢いで該回転翼８を回転軸４周りに回転させる。
【００１６】
前記雨水７の落下により、回転翼８は下に押されてコイルバネ１２の付勢力に抗して下がる。それにより、ブラシ６ａ，６ｂがそれぞれ屋上の表面５とストレーナ３の外面とに当接する。回転翼８の回転によって、掃除用ブラシ６が回転するので、前記屋上の表面５とストレーナ３の外面とが掃除されるものである。このように、自然の降雨によりルーフドレン１の掃除が行われるようになる。
【００１７】
本発明の他の実施例に係るルーフドレン１ａを図４（Ａ）に示す。これは、雨水７によって回転翼１４が回転し回転軸４が回転するが、それ以外に、風の力によって、風車１６が回転して回転軸４を回転させるようにしたものである。前記回転翼１４の上部位置には、２分割された半板１３ａによって雨水誘導板１３が設けられ、各半板１３ａに貫通孔１３ａが設けられている。そして、図４（Ｂ）に示すように、雨水７の流量が多くなった場合には、溢れないようにするため、トーションバネ１５の付勢力に抗して雨水７の重さで自動的に半板１３ａが傾斜するようになっている。
【００１８】
前記ルーフドレン１ａによれば、風の力によっても掃除ブラシ６が回転することになり、降雨時の掃除に加えて掃除の機会が増加し、自動的に掃除されるようになる。なお、回転翼１４による回転軸４の回転方向と、風車１６による回転軸４の回転方向とが逆になる場合には、ラチェット等を設けることで風車１６の回転力が回転軸４に伝達されないように空回りするようにしておくものである。
【図面の簡単な説明】
【００１９】
【図１】本発明に係るルーフドレン１の使用状態における縦断面図である。
【図２】同本発明のルーフドレン１における、雨水誘導板１１の一部平面図である。
【図３】同本発明のルーフドレン１における、掃除用ブラシ６の使用状態における平面図である。
【図４】他の実施例に係るルーフドレン１ａの縦断面図（Ａ）と、その雨水誘導板１３の使用状態における正面図（Ｂ）とである。
【符号の説明】
【００２０】
１，１ａ    ルーフドレン、
２          ドレン本体、
３          ストレーナ、
４          回転軸、  
５          屋上の表面、
６          掃除用ブラシ、              ６ａ，６ｂ    ブラシ、
６ｃ        骨格部、
７          雨水、
８          回転翼、
９          屋上躯体、
１０        排水口、
１１        雨水誘導板、
１２        コイルバネ、
１３        雨水誘導板、                １３ａ        半板、
１４        回転翼、
１５        トーションバネ、
１６        風車。
【図１】
2006225911.tif 000003
【図２】
2006225911.tif 000004
【図３】
2006225911.tif 000005
【図４】
2006225911.tif 000006